(57)【要約】【課題】ワックス剤が床上でかすれる現象を低減し、使い易さを向上させ、かつ作業の効率性を向上させるモップを提供する。【解決手段】巾木（モップ本体）２側の底面側に対し床拭き部材８を着脱自在に装着することで床Ｆ上にワックス掛け等が行えるモップ１において、巾木２の底面側に対し床拭き部材８の一部を床Ｆ上から逃がし得るようにした空間状のワックス剤溜まり部１５を形成する。ワックス剤溜まり部１５は、巾木２の前方の側辺側１１、及び後方の側辺側１２を床Ｆに対面する方向へ互いに内側に深く折り曲げた如き形状になっており、当該双方の側辺側１１，１２の互いの先端である押圧部１３，１４との間に所要寸法分の非接触の空き間隔を設けることで構成する。【選択図】      図１
2004236672.tif 000002
【特許請求の範囲】
【請求項１】
モップ本体である巾木側の底面側に対し床拭き部材を着脱自在に装着することで床上にワックス掛け等が行えるモップにおいて、
モップ本体の底面側に対し床拭き部材の一部を床上から逃がし得るワックス剤溜まり部を少なくとも１つ以上形成して成ることを特徴とするモップ。
【請求項２】
ワックス剤溜まり部は、モップ本体の前方の側辺側、及び後方の側辺側を床に対面する方向へ互いに内側に深く折り曲げた如き形状を与えるとともに、当該双方の側辺側の互いの先端である押圧部との間に所要寸法分の非接触の間隔を設けることで構成されることを特徴とする請求項１記載のモップ。
【請求項３】
ワックス剤溜まり部は、モップ本体の床拭き部材を装着する側の底面の一部に上方へ湾曲乃至屈曲する部分を設けることで構成されることを特徴とする請求項１記載のモップ。
【請求項４】
ワックス剤溜まり部の前後部の押圧部は床面上に圧止するよう突出形成してある請求項１乃至３のいずれか記載のモップ。
【請求項５】
モップ本体の上面側には、当該上面に近い側の一部を支点に回動可能である手持ち部材が装着されて成ることを特徴とする請求項１乃至４の何れか記載のモップ。
【請求項６】
巾木の左右両端には、巾木の水平方向の外方に突出する先端が湾曲状の突起となっている防護部を設けたことを特徴とする請求項１乃至５の何れか記載のモップ。
【発明の詳細な説明】
【０００１】
【発明の属する技術分野】
本発明は、床拭き部材を着脱自在に装着することで床上にワックス掛け等が行え、しかもワックスをかすれることなく効率的にワックス掛けが行えるモップに関する。
【０００２】
【従来の技術】
従来のモップ５１は、一般的には、図５に示すようにモップ本体としての巾木５２の上面側の中心位置に対し回動部材５３を介して手持ち部材５４を装着（図６参照）し、巾木５２の底面側に対し面ファスナーの如き繊維貼着材５５を介して床拭き部材（以下、スキージと称する）５６を着脱自在に装着することで所要の要件を満たす。
【０００３】
一般例として本例の巾木５２は、平板状の構成を有しており、巾木５２の底面側に面ファスナーの如き繊維貼着材５５…が固着されている。そして、各々の繊維貼着材５５…に対しスキージ５６の裏面側を貼り付けることでワックス掛け等の目的に利用されるものである。かくして例えばワックス掛けを行う場合、多くの場合、図６に示すように、例えば床Ｆ上にワックス剤Ｗをあらかじめに振り撒いて手持ち部材５４を持って巾木５２を床Ｆ上に沿って滑らせ移動させることでスキージ５６の略全面及び先端側でワックス剤Ｗを押し出し、これにより床Ｆ上へのワックス掛けを行うのである。
【０００４】
【発明が解決しようとする課題】
しかしながら、従来においては巾木５２が平板状の構成であり、手持ち部材５４を介して巾木５２に押力を与えると、この押力が巾木５２の全面に対し分散するため、この過程でスキージ５６にワックス剤Ｗのムラが生じることが多く、したがって上述した従来のモップ５１では、ワックス掛けに際し床Ｆ上でワックス剤Ｗがかすれることが多く、効率的な作業を行い得ない欠点が内在していた。
【０００５】
本発明は、上記課題に鑑み成されたものであり、床拭き部材に対しワックス剤を押し広げて行く部分を複数構成することでワックス剤が床上でかすれる現象を低減し、もって使い易さを向上させ、かつ作業の効率性を向上させるモップを提供することを目的とする。
【０００６】
【課題を解決するための手段】
上述した課題を解決するため、本発明にあっては、モップ本体である巾木２側の底面側に対し床拭き部材８を着脱自在に装着することで床Ｆ上にワックス掛け等が行えるモップ１において、モップ本体２の底面側に対し床拭き部材８の一部を上記床Ｆ上から逃がし得るワックス剤溜まり部１５を少なくとも１つ以上形成して成ることを特徴とする。
ワックス剤溜まり部１５は、モップ本体２の前方の側辺側１１、及び後方の側辺側１２を床Ｆに対面する方向へ互いに内側に深く折り曲げた如き形状を与えるとともに、当該双方の側辺側１１，１２の互いの先端である押圧部１３，１４との間に所要寸法分の非接触の間隔を設けることで構成されることを特徴とする。ワックス剤溜まり部１５は、モップ本体２の床拭き部材８を装着する側の底面の一部に上方へ湾曲乃至屈曲する部分を設けることで構成されることを特徴とする。
ワックス剤溜まり部１５の前後部の押圧部１３，１４は床面上に圧止するよう突出形成してある。
モップ本体２の上面側には、当該上面に近い側の一部を支点に回動可能である手持ち部材９が装着されて成ることを特徴とする。
また、上記巾木２の左右両端には、巾木の水平方向の外方に突出する先端が湾曲状の突起３２，３２…となっている防護部３１，３１を設けたことを特徴とする。
【０００７】
以上のように構成された本発明にあって、先ず床Ｆ上に例えばあらかじめワックス剤Ｗを散布し、この上に本発明のモップ１を置く。すると、モップ１底面のスキージ８で巾木２底面の前方の側辺側１１の押圧部１３に対応する拭き突部Ａと後方の側辺側１２の押圧部１４に対応する拭き突部Ｂが床Ｆ上のワックス剤Ｗを２つあるいは３つの溜まりのワックス剤Ｗ１，Ｗ２に区切り、特にワックス剤Ｗ２の存在が当該位置部分のスキージ８をワックス剤溜まり部１５内へ逃げさせ、スキージ８と床Ｆ上との間にワックス剤Ｗ２の溜まりを保持する。続いてモップ１を前方へ床Ｆ上を滑らせて移動させると、モップ１底面のスキージ８の上記拭き突部Ａ，Ｂの部分がワックス剤Ｗ１，Ｗ２を床Ｆ上に沿って押し出す。この場合、スキージ８の拭き突部Ａでのワックス剤Ｗ１の押し出しでワックス掛けにかすれが生じたとしても、スキージ８の後続の拭き突部Ｂでのワックス剤Ｗ２の押し出しで当該かすれを補なわさせる。
上記ワックス剤溜まり部１５が、巾木２の双方の側辺側１１，１２の互いの押圧部１３，１４との間に所要寸法分の非接触の間隔を設けることで構成される場合、あるいは巾木２の底面の一部に上方へ湾曲乃至屈曲する部分を設けることで構成される場合であっても、ワックス剤溜まり部１５はワックス剤Ｗ２の存在の反力で床拭き部材８を上方へ逃げさせ、一時的に溜める。これにより、床拭き部材８と床Ｆ上との間でワックス剤Ｗ２の溜まりを保持しながら床拭き部材８の当該ワックス剤溜まり部１５を構成する後方の端部に対応する拭き突部Ｂがワックス剤Ｗ２を続いて床Ｆ上に押し広げることを可能にするため、モップ１の一動作中に２段階で連続してワックス剤Ｗ１，Ｗ２を床Ｆ上に押し広げることとなってワックス剤Ｗのかすれを低減させる。
ワックス剤溜まり部１５を形成する前後の押圧部１３，１４は床Ｆ面に圧止され、巾木２全般で床Ｆ面を押圧するときにこれらに押圧力が集約増大し、ワックス剤溜まり部１５から順次に漏出されるようにワックス剤Ｗが供給されることと相俟ち、床Ｆ面にワックス剤Ｗを強く塗着させる。
一方、本発明のモップ１は、巾木２に対し回動自在の棒状の手持ち部材９を装着してあるため、ワックス掛け作業の作業性を向上させる。
巾木２の左右両端の防護部３１，３１は、モップ１自体を床Ｆ上で移動させているときに衝突することがある壁、家具その他に対しての傷付けを防止させ、また防護部３１，３１相互間に形成された凹所は床拭き部材８の左右に突出状に形成した帯部分２１を折り曲げ収納して位置決めさせ、床拭き部材８の巾木２に対する装着性を向上させる。
【０００８】
【発明の実施の形態】
以下、図１乃至図４を参照して本発明の一実施の形態を説明する。図１において符号１はモップであり、図２にも示すようにモップ本体としての巾木２と、巾木２上の両端及び底面側に固着される面ファスナーの如き繊維貼着材３，４，５と、巾木２の底面側に繊維貼着部材３，４を介して着脱自在に貼着される床拭き部材（以下、スキージと称する）８と、巾木２上面の中心位置に回動部材６を介して配設される手持ち部材９とを備えて構成されている。
【０００９】
巾木２は、例えばアルミニウム材等の軽金属を用いて構成されており、水平方向の所要寸法分の前方の側辺側１１、及び後方の側辺側１２を床Ｆに対面する方向へ互いに内側にＶ字状の如く深く折り曲げた如き形状を成すとともに、当該双方の側辺側１１，１２の互いの先端である押圧部１３，１４との間に所要寸法分の非接触の間隔を設けることで当該押圧部１３，１４の間から上方に向けてワックス剤溜まり部１５が構成されている。ワックス剤溜まり部１５は、巾木２単独で考えた場合、双方の側辺側１１，１２の押圧部１３，１４間の空き領域を介し巾木２の内部空間と外界とを空間的に繋ぐものであり、巾木２の底面側に後述するスキージ８を貼着させた際に当該部分のスキージ８を上記内部空間（ワックス剤溜まり部１５）内の上方の方向へ逃すことが可能となり、このスキージ８の逃げで床Ｆ上に散布したワックス剤Ｗの溜まりをあまり拡散させることなくワックス剤溜まり部１５に対応するスキージ８下に一時的に溜めるように確保することが可能となるようになっている。
【００１０】
また、このワックス剤溜まり部１５の前後部は床Ｆ面上に圧止されることになるよう、床Ｆ面側に突出する上記の押圧部Ａ，Ｂを形成しているのである。この押圧部Ａ，Ｂは巾木２裏面に後述するようにスキージ８が装着固定されたとき、床Ｆ面にスキージ８を部分的に強く押圧する拭き突部Ａ，Ｂを形成するようになっている。
【００１１】
巾木２のＶ字状に屈曲された双方の側辺側１１，１２には、巾木２の水平方向の全長に沿って逆コ字状に屈曲する屈曲収容部１７，１８が形成されて繊維貼着材３，４を収容し固着しており、この繊維貼着材３，４を介して巾木２の底面側に対しスキージ８を着脱自在に装着するものである。尚、双方の側辺側１１，１２の先端１３，１４には垂直上方に屈曲する屈曲部１９が形成されている。また図３、図４にも示すように巾木２上面の左右の側辺側にも繊維貼着材５，５が固着されるものであり、スキージ８の左右両端の帯部分２１，２１を折り曲げて当該帯部分２１，２１の内側を着脱自在に貼着させ、スキージ８の固定性を強めている。
【００１２】
巾木２の左右両端には、図３、図４にも示すように例えば合成樹脂（乃至ゴム材等でも良い）から成る防護部３１，３１が外部より挿入され嵌合されて室内の壁や家具等に接触しても当該壁や家具等を傷付けてしまうことを防止している。特に、防護部３１，３１の左右両端（巾木２に対しては前後両端）には巾木２の水平方向の外方に突出する先端が湾曲状の突起３２，３２…として設けられており、これが傷付け防止を図るとともに、双方の防護部３１，３１において突起３２，３２間の窪んだ部分がスキージ８の帯部分２１，２１の貼着をガイドする部分とも成っている。
【００１３】
ところでスキージ８は、図３にも示すように両端（一端のみも可）に帯部分２１，２１を有するとともに全面的に内表面側が繊維質となって繊維貼着材３，４，５への着脱自在の貼着が可能となり、外表面側（床Ｆに接する側）には複数の紐状の部分２２…が所謂格子状に高密度に構成されており、各紐状の部分２２…によりワックス剤Ｗの染込み保持性、及びワックス剤Ｗの床Ｆ上への引き伸ばし性を高めている。図１、図４に示すようにスキージ８内面の本体部分的な広い領域の側は巾木２底面の繊維貼着材３，４に貼着され、帯部分２１，２１は巾木２上の両端側の繊維貼着材５，５に貼着され、これらの貼着で巾木２に対し強固に装着されている。
【００１４】
一方、図４にも示すように巾木２上面の中心位置には回動部材６を介して棒状あるいは筒状の手持ち部材９が巾木２上の垂直前後の方向に回動自在に装着されている。回動部材６は、回動軸４２を回動自在に保持する左右の回動保持体４３を巾木２に対し装着する一方で、回動軸４２に対して突起板４４を一体に設け、この突起板４４の上下間を手持ち部材保持部４５の側面から見てコ字状の突起板４６，４６で挟むとともに円柱状の操作部４７の雄ネジ（図示せず）を各突起板４４，４６，４６へ螺入して突起板４４に対し手持ち部材保持部４５を巾木２の左右方向に揺動自在に保持することで構成されている。手持ち部材保持部４５は、手持ち部材９を挿入させるパイプ状部分４８を有しパイプ状部分４８には手持ち部材９の保持状態を維持する雄ネジ部材（図示せず）挿通用の孔（図示せず）が形成されている。
【００１５】
次に、図１及び図４を参照して本実施の形態の使用の一例について説明する。先ず床Ｆ上に例えばあらかじめワックス剤Ｗを散布し、この上に本例のモップ１を置く。すると、モップ１底面のスキージ８において巾木２底面の前方の側辺側１１の押圧部１３に対応する拭き突部Ａと後方の側辺側１２の押圧部１４に対応する拭き突部Ｂが床Ｆ上のワックス剤Ｗを集中的に押圧して当該ワックス剤Ｗを２つあるいは３つの溜まりのワックス剤Ｗ１，Ｗ２に区切るとともに、ワックス剤Ｗ２の存在が当該位置部分のスキージ８をワックス剤溜まり部１５内へ逃げさせ、当該位置部分のスキージ８と床Ｆ上との間にワックス剤Ｗ２の溜まりを保持させる。
【００１６】
しかる状態でモップ１を前方（図示矢印の方向）へ床Ｆ上を滑らせて移動させると、モップ１底面のスキージ８において拭き突部Ａ，Ｂの部分がワックス剤Ｗ１，Ｗ２を床Ｆ上に沿って押し出す。このため同時にスキージ８の２個所の拭き突部Ａ，Ｂでワックス掛けを実施することができ、スキージ８の拭き突部Ａでのワックス剤Ｗ１の押し出しでワックス掛けにかすれが生じたとしても、スキージ８の拭き突部Ｂでのワックス剤Ｗ２の押し出しで、これらの拭き突部Ａ，Ｂに巾木２に対する押圧力が集約することと相俟ち、強く塗布して当該かすれを補うことができる。従って本例のモップ１は使い易さを向上させ、作業性を一段と向上させると共に、床Ｆ面上に突出する押圧部１３，１４更には拭き突部Ａ，Ｂによって床Ｆ面を強く押圧し、ワックス剤Ｗを強く塗着する。また、モップ１のワックス掛け作業中で壁、家具等に巾木２が当たっても防護部３１，３１によってそれへの傷付けを防止する。
【００１７】
また、床Ｆ上にあらかじめ散布したワックス剤Ｗに対してモップ１を置くとき、モップ１の前後でワックス剤溜まり部１５によって３つの溜まりのワックス剤Ｗ１，Ｗ２…に区切ることもでき、前後方にモップ１を移動させることで同様に一層効率的に作業を行うことができる。
【００１８】
尚、本実施の形態においては、巾木２の前方及び後方の側辺側１１，１２を底面側へ所謂曲げ加工することでワックス剤溜まり部１５を構成する場合を例に説明したが、本発明の要旨はこれに限定されるものではなく、例えば一枚の金属板（樹脂板も可）で構成される巾木の水平方向の中央に対し水平方向の全長に沿って上方に湾曲（乃至は屈曲）する部分を構成することで対応しても良いことは勿論である。
【００１９】
【発明の効果】
本発明は、以上のように構成されているために、床拭き部材（スキージ）８に対しワックス剤Ｗを保持しながら押し広げて行くワックス剤溜まり部１５を複数構成することでモップ１によるワックス掛け作業に際し、ワックス剤Ｗが床Ｆ上でかすれる現象を低減し、もってワックス掛けに際する使い易さを向上させ、かつ作業の効率性を向上させる。
【００２０】
即ち、これは本発明において、上記モップ本体である巾木２の底面側に対しスキージ８の一部を床Ｆ上から逃がし得るワックス剤溜まり部１５を少なくとも１つ以上形成して成るからであり、これによって、ワックス掛けを行う際にモップ１のスキージ８に対しモップ１の移動方向にワックス剤Ｗを複数に区切って保持しながら押し広げてゆく拭き突部Ａ，Ｂが構成されるため、一度の押し出し作業に伴うスキージ８の移動でワックス剤Ｗを多段的に連続して床Ｆ上に押し広げることができ、結果としてワックス剤Ｗが床Ｆ上でかすれる現象を後続側が補って低減させ、これによりワックス掛けに際する使い易さを向上させ、かつ作業の効率性を向上させるのである。
【００２１】
上記ワックス剤溜まり部１５が、巾木２の双方の側辺側１１，１２の互いの先端である押圧部１３，１４との間に所要寸法分の非接触の間隔を設けることで構成される場合、床拭き部材８で巾木２底面の前方の側辺側１１の押圧部１３に対応する拭き突部Ａと後方の側辺側１２の押圧部１４に対応する拭き突部Ｂとが床Ｆ上のワックス剤Ｗを集中的に押圧して当該ワックス剤Ｗを２つあるいは３つの溜まりのワックス剤Ｗ１，Ｗ２…に区切るとともに、ワックス剤Ｗ２が床拭き部材８を上方へ逃げさせ、もって床拭き部材８との間でワックス剤Ｗ２の溜まりを保持できるため、本発明のモップ１を例えば前後に移動するように一動作させた場合に明かにワックス剤Ｗのかすれを有効に防止し、確実に使い易さを向上させ、かつ作業の効率性を向上させる。
【００２２】
上記ワックス剤溜まり部１５が、巾木２の底面の一部に上方へ湾曲乃至屈曲する部分を設けることで構成される場合も、ワックス剤溜まり部１５はワックス剤Ｗ２の存在の反力で床拭き部材８を上方へ逃げさせ、これにより床拭き部材８と床Ｆ上との間でワックス剤Ｗ２の溜まりを保持することが可能であり上述と同様の効果が得られる。
【００２３】
特にワックス剤溜まり部１５の前後部の押圧部１３，１４は床Ｆ面上に圧止するよう突出形成してあるから、巾木２全体で床Ｆ面に押圧するとき、その押圧力は押圧部１３，１４更には拭き突部Ａ，Ｂに集約されてワックス剤Ｗを床Ｆ面に強く塗着し、かすれ等を生じさせずに床Ｆ面にワックス剤Ｗを体裁良く塗布することができる。
【００２４】
一方、本発明のモップ１は、巾木２に対し回動自在の手持ち部材９を装着してあるため、ワックス掛けの作業性が良く、この観点からも使い易さを向上させ、かつ作業の効率性を向上させる効果が得られる。
【００２５】
また、上記巾木２の左右両端には、巾木の水平方向の外方に突出する先端が湾曲状の突起３２，３２…となっている防護部３１，３１を設けてあるため、ワックス掛け作業中に巾木２が壁や家具その他に当たることがあっても、防護部３１，３１が壁や家具その他に対する傷付けを防止することができる。そればかりでなく、巾木２の左右で突出する防護部３１，３１相互間で形成される凹所は、床拭き部材（スキージ）８の左右で突出してある帯部分２１を折り曲げ収納させておくことができ、こうすることで床拭き部材８の巾木２に対する装着状態を一層確実にすることができる。
【図面の簡単な説明】
【図１】本発明の一実施の形態の構成を示す側面図である。
【図２】同じく巾木の構成を示す要部拡大の分解斜視図である。
【図３】同じく巾木と床拭き部材との関係を示す要部拡大の分解斜視図である。
【図４】同じく一部切断の平面図である。
【図５】従来の技術を示す要部拡大の分解斜視図である。
【図６】同じくそれの使用の状態を示す一部切断側面図である。
【符号の説明】
１…モップ                            ２…巾木（モップ本体）
３…繊維貼着材                        ４…繊維貼着材
５…繊維貼着材                        ６…回動部材
８…床拭き部材（スキージ）            ９…手持ち部材
１１…側辺側                          １２…側辺側
１３…押圧部                          １４…押圧部
１５…ワックス剤溜まり部              １７…屈曲収容部
１８…空曲収容部                      １９…収容部
２１…帯部分                          ２２…紐状の部分
３１…防護部                          ３２…突起
４２…回動軸                          ４３…回転保持体
４４…突起板                          ４５…手持ち部材保持部
４６…突起板                          ４７…操作部
４８…パイプ状部分
５１…モップ                          ５２…巾木
５３…回動部材                        ５４…手持ち部材
５５…繊維貼着材                      ５６…スキージ
Ａ…拭き突部                          Ｂ…拭き突部
Ｆ…床                                Ｗ…ワックス剤
Ｗ１…ワックス剤                      Ｗ２…ワックス剤
【図１】
2004236672.tif 000003
【図２】
2004236672.tif 000004
【図３】
2004236672.tif 000005
【図４】
2004236672.tif 000006
【図５】
2004236672.tif 000007
【図６】
2004236672.tif 000008